(57)【特許請求の範囲】
【請求項１】
室内壁面設置の操作スイッチの操作信号を、該操作スイッチにコネクター接続したケーブルを介して動作位置に配置した制御基板に送出して動作するようにした建材における上記制御基板の既存プログラムの全部又は一部を書換えるプログラム書換方法であって、上記制御基板のＲＯＭ等の記憶媒体書換用の書換プログラムを記憶したＥＥＰＲＯＭ等の記憶媒体と、上記ケーブルと共通のコネクターと、上記制御基板に発信する回路を備えることによってマイコンを非搭載とした書換装置を用い、該書換装置を上記操作スイッチに代替して上記ケーブルにコネクター接続することによって上記制御基板との間で遠隔的なプログラム書換を行い、その後、書換装置に代替して再度操作スイッチをコネクター接続することを特徴とする建材組込機器プログラムの遠隔書換方法。
【請求項２】
上記遠隔的なプログラム書換を、上記書換装置の発振回路による発振信号送出と、制御基板の既存プログラムのＲＡＭ等の記憶媒体への書き込みと、上記制御基板のＲＯＭ等の記憶媒体に対する書換装置のＥＥＰＲＯＭ等の記憶媒体からの書換プログラムの書き込みとによって、制御基板の既存プログラムの全部を書換えることを特徴とする請求項１に記載の建材組込機器プログラムの遠隔書換方法。
【請求項３】
上記遠隔的なプログラム書換を、上記書換装置の発振回路による発振信号送出と、制御基板のＲＯＭ等の記憶媒体に対する書換装置のＥＥＰＲＯＭ等の記憶媒体からの書換プログラムの書き込みとによって、制御基板の既存プログラムの一部を書換えることを特徴とする請求項１に記載の建材組込機器プログラムの遠隔書換方法。
【請求項４】
上記遠隔的なプログラム書換に代えて、制御基板の既存プログラムを処理することなく書換装置のＥＥＰＲＯＭ等の記憶媒体からのプログラムを書き込むことを特徴とする請求項１に記載の建材組込機器プログラムの遠隔書換方法。
【請求項５】
上記制御基板へのＥＥＰＲＯＭ等の記憶媒体の書換プログラムの書き込み後、該書き込みプログラムのチェックサム照合を単一又は複数回行うことを特徴とする請求項１、２、３又は４に記載の建材組込機器プログラムの遠隔書換方法。
【請求項６】
上記マイコンを非搭載とした書換装置に代えて、マイコンを追加的に搭載した書換装置を用いて、該マイコンによって上記制御基板との間で遠隔的なプログラム書換を行うことを特徴とする請求項１に記載の建材組込機器プログラムの遠隔書換方法。
【請求項７】
上記建材を、モーター等の駆動部材とともに制御基板を配置した駆動ユニットをシャッター回転軸に内蔵設置した電動シャッターとしてなることを特徴とする請求項１、２、３、４、５又は６に記載の建材組込機器プログラムの遠隔書換方法。
【請求項８】
室内壁面設置の操作スイッチの操作信号を、該操作スイッチにコネクター接続したケーブルを介して駆動位置に配置した制御基板に送出して動作するようにした建材における上記制御基板の既存プログラムの全部又は一部を書換えるために用いる書換装置であって、上記制御基板のＲＯＭ等の記憶媒体書換用の書換プログラムを記憶したＥＥＰＲＯＭ等の記憶媒体と、上記ケーブルと共通のコネクターと、建材の制御基板に発信する回路を備えることによってマイコンを非搭載としてなることを特徴とする建材組込機器プログラムの遠隔書換用装置。
【請求項９】
上記マイコンの非搭載に代えて、マイコンによって上記制御基板との間で遠隔的なプログラム書換を行うマイコンを搭載してなることを特徴とする請求項８に記載の建材組込機器プログラムの遠隔書換用装置。
【発明の詳細な説明】
【技術分野】
【０００１】
本発明は、建材組込機器プログラムの遠隔書換方法に関し、また、該書換方法に用いる遠隔書換用装置に関する。
【背景技術】
【０００２】
この種の建材、例えば、電動シャッターは、その開閉対象、即ち、シャッターカーテンの昇降開閉のために、シャッターケース内に配置したモーターと、該モーターを制御する同じくシャッターケース内の駆動装置として、例えば、減速機、クラッチ等の駆動部材と、ＣＰＵ、ＲＯＭ、ＲＡＭ等を搭載した制御基板等を有する一体又は別体のユニットを備えたものとされ、該ユニットの制御基板を、室内壁面等に設置した操作スイッチにケーブル接続して、該操作スイッチからの開閉指示の操作信号によって、ＲＯＭのプログラムによるモーターの駆動制御を行って、該モーターに接続した回転軸を正逆回転して該回転軸に巻回設置したシャッターカーテンの昇降開閉を行うとともに停止指示の操作信号によって、シャッターカーテンを開口部中間の任意位置において停止するようにしてある。また、一般に、該電動シャッターには、シャッターカーテンの安全昇降のため、例えば、エンドスラットの障害物センサーで障害物を検知するセンサー方式や、障害物によるモーター回転負荷の変化を監視する過負荷方式等の安全装置が設けられ、該安全装置の作動によって、該シャッターカーテンの停止乃至反転上昇等を行うようにしたものとされている。
【先行技術文献】
【特許文献】
【０００３】
【特許文献１】特開２００５−８３０９３号公報
【発明の概要】
【発明が解決しようとする課題】
【０００４】
この場合、電動シャッターにおけるシャッターカーテンの昇降開閉を有効に制御することができ、使い勝手が良好で且つ安全性を確保したものとされて、建物、特にビル、工場等における開口部の他、窓用シャッターとして住宅におけるテラス窓や肘掛窓の開口部に広く用いられている。このシャッターカーテンの開閉に準じて構成することによって、電動シャッター以外にも、例えば、天窓、引戸、ドア、天窓、ルーバー窓、オーニング等の開口部材の他、床下収納庫、ジェットバス、浴室換気乾燥機等の各種建材に適用して、制御用のプログラムを組み込んだ建材組込機器プログラムとして、その電動化を行うことによって障子開閉の自動化を行うこともできる。
【０００５】
しかし乍ら、例えば、制御基板のＲＯＭのプログラム、即ち、既存プログラムにバグが存在していたといったプログラムの不具合が判明したとき、また、例えば、機能追加のバージョンアップを行うときのように、ＲＯＭの既存プログラムを書換える必要が生じた場合、その書換作業が煩雑化する傾向を招き易く、該書換作業を容易になし得ないという問題点が残されている。
【０００６】
即ち、上記電動シャッターの場合、既存プログラムを記憶しているＲＯＭ実装の制御基板は、上記ユニットとしてシャッターケース内に配置されているから、ＲＯＭの既存プログラム書換を行うには、先ずシャッターケースを取り外した上、上記ユニットを取り出し、更にＲＯＭを実装した制御基板を取り出した上、該制御基板に所定の作業によってプログラムの書換を行って、その後に、再度制御基板の復帰、ユニットの定位置への設置、シャッターケースの再設置という一連の作業が必要となる。従って、プログラムの書換作業それ自体は容易になし得るとしても、該書換に際してこれに付随する作業が多いために、その作業が煩雑化し易く、基板ごと、駆動部ごと交換するケースも多く、作業コストだけでなく部品コストを伴い易い。
【０００７】
特に、窓用シャッターにあっては、例えば、住宅の２階、３階の窓といった、地表から離れた上方高所に設置されることも多く、このように上方高所に設置されている場合には、シャッターケースの取り外しやユニットの取り出しの作業を行うために作業用の足場を設置する必要があるところ、足場の設置は専門業者に委託することになるため、プログラム書換に付随する作業に工事のための期間と高いコストを伴う傾向を招き易く、天窓等上記の開口部材やその余の建材にあっても同様なケースを招き易い。
【０００８】
本発明はかかる事情に鑑みてなされたもので、その解決課題とするところは、建材に必要とされる付随の作業や工事を行うことなく、可及的簡易且つ確実に既存プログラム書換をなし得るようにした建材組込機器プログラムの遠隔書換方法を提供するにあり、また、これに用いる建材組込機器プログラムの遠隔書換用装置を提供するにある。
【課題を解決するための手段】
【０００９】
上記課題に沿って本発明は、建材組込機器プログラムの操作信号を制御基板に送出する操作スイッチが、一般に建物居住空間の室内壁面に埋込み状に設置されているものが多いこと、該操作スイッチは、シャッターケース内のユニットに実装された制御基板から室内に導入されたケーブルと接続されていること、該ケーブルとの接続は、操作スイッチ側面のコネクターにケーブルのコネクターを嵌め込み接続することによって行われていること、従って、操作スイッチ側面とケーブル接続用のコネクターと共通のコネクターを用いて、これをケーブルに接続可能とすることによって、制御基板に対するアクセスが可能となり、従って、該アクセスを行うようにすれば、上記付随の作業や工事を伴うことなく、操作スイッチを設置した室内において、該操作スイッチを取り出し、これに代えてプログラム書換用に構成した装置を接続することによって、上記シャッターケース内の制御基板との間でデータの送信を、操作スイッチ設置の建物居住空間で遠隔的に行うことが可能となることに着目して、該プログラム書換用の装置を、操作スイッチに代替的にケーブルに接続可能なように上記操作スイッチ側面と共通のコネクターと、ＥＥＰＲＯＭ等の記憶媒体に書換用のプログラムと、制御基板に発振信号を送出して、該制御基板を作動する発振回路を有するものとして、ＣＰＵ、即ちマイコン非搭載に構成し、該書換装置を、制御基板に対してそのスイッチ接続用のケーブルを介して接続し、該書換装置の発振信号を制御基板が認識することによって、該制御基板における既存プログラムの書換作業をなし得るようにしたものであって、即ち、請求項１に記載の発明を、室内壁面設置の操作スイッチの操作信号を、該操作スイッチにコネクター接続したケーブルを介して駆動位置に配置した制御基板に送出して動作するようにした建材における上記制御基板の既存プログラムの全部又は一部を書換えるプログラム書換方法であって、上記制御基板のＲＯＭ等の記憶媒体書換用の書換プログラムを記憶したＥＥＰＲＯＭ等の記憶媒体と、上記ケーブルと共通のコネクターと、建材組込機器プログラムの制御基板に発振信号を送出する発振回路を備えることによってマイコンを非搭載とした書換装置を用い、該書換装置を上記操作スイッチに代替して上記ケーブルにコネクター接続することによって上記制御基板との間で遠隔的なプログラム書換を行い、その後、書換装置に代替して再度操作スイッチをコネクター接続することを特徴とする建材組込機器プログラムの遠隔書換方法としたものである。
【００１０】
請求項２、３及び４に記載の発明は、上記に加えて、上記スイッチ設置の室内における遠隔的なプログラム書換を有効且つ確実に行うについてそれぞれ好ましい形態のものとするように、請求項２に記載の発明を、上記遠隔的なプログラム書換を、上記書換装置の発振回路による発振信号送出と、制御基板の既存プログラムのＲＡＭエリア等の記憶媒体への書き込みと、制御基板のＲＯＭ等の記憶媒体に対する書換装置のＥＥＰＲＯＭからの書換プログラムの書き込みとによって、制御基板の既存プログラムの全部を書換えることを特徴とする請求項１に記載の建材組込機器プログラムの遠隔書換方法とし、請求項３に記載の発明を、上記遠隔的なプログラム書換を、上記書換装置の発振回路による発振信号送出と、制御基板のＲＯＭ等の記憶媒体に対する書換装置のＥＥＰＲＯＭ等の記憶媒体からの書換プログラムの書き込みとによって、制御基板の既存プログラムの一部を書換えることを特徴とする請求項１に記載の建材組込機器プログラムの遠隔書換方法とし、請求項４に記載の発明を、上記遠隔的なプログラム書換に代えて、制御基板の既存プログラムを処理することなく書換装置のＥＥＰＲＯＭ等の記憶媒体からのプログラムを書き込むことを特徴とする請求項１に記載の建材組込機器プログラムの遠隔書換方法としたものである。
【００１１】
請求項５に記載の発明は、上記に加えて、上記遠隔的なプログラム書換を正確に行ってその確認を得られるものとするように、これを、上記制御基板へのプログラムの書き込み後、該書き込みプログラムと書換装置のＥＥＰＲＯＭ等の記憶媒体の書換プログラムとのチェックサム照合を単一又は複数回行うことを特徴とする請求項１、２、３又は４に記載の建材組込機器プログラムの遠隔書換方法としたものである。
【００１２】
請求項６に記載の発明は、同じく上記に加えて、上記書換装置にＣＰＵ、即ちマイコンを搭載することによって、制御基板との間で該書換装置のマイコンを用いた書換を行うものとするように、これを、上記マイコンを非搭載とした書換装置に代えて、マイコンを追加的に搭載した書換装置を用いて、該マイコンによって上記制御基板との間で遠隔的なプログラム書換を行うことを特徴とする請求項１に記載の建材組込機器プログラムの遠隔書換方法としたものである。
【００１３】
請求項７に記載の発明は、同じく上記に加えて、建材を電動シャッターとして、特に煩雑化及び高コスト化する傾向のあるプログラムの書換を可及的簡易且つ確実になし得る形態のものとするように、これを、上記建材を、モーター等の駆動部材とともに制御基板を配置した駆動ユニットをシャッター回転軸に内蔵設置した電動シャッターとしてなることを特徴とする請求項１、２、３、４、５、又は６に記載の建材組込機器プログラムの遠隔書換方法としたものである。
【００１４】
請求項８に記載の発明は、上記プログラムの遠隔書換に適して、上記操作スイッチに代替的に接続することによって、操作スイッチ設置の室内居住空間における遠隔的な制御基板のプログラム書換を可能とし、建材に必要とされる付随の作業や工事を行うことなく可及的簡易且つ確実になし得るようにした可及的コンパクトにして使い勝手の良好な遠隔書換用の装置を提供するように、これを、室内壁面設置の操作スイッチの操作信号を、該操作スイッチにコネクター接続したケーブルを介して駆動位置に配置した制御基板に送出して動作するようにした建材における上記制御基板の既存プログラムの全部又は一部を書換えるために用いる書換装置であって、上記制御基板のＲＯＭ等の記憶媒体書換用の書換プログラムを記憶したＥＥＰＲＯＭ等の記憶媒体と、上記ケーブルと共通のコネクターと、建材組込機器プログラムの制御基板に発振信号を送出する発振回路を備えることによってマイコンを非搭載としてなることを特徴とする建材組込機器プログラムの遠隔書換用装置としたものである。
【００１５】
請求項９に記載の発明は、上記に加えて、上記マイコンの非搭載に代えて、マイコンを搭載することによって、該マイコンによる上記制御基板の遠隔的なプログラム書換をなし得るものとするように、これを、上記マイコンの非搭載に代えて、マイコンによって上記制御基板との間で遠隔的なプログラム書換を行うマイコンを搭載してなることを特徴とする請求項８に記載の建材組込機器プログラムの遠隔書換用装置としたものである。
【００１６】
本発明は、これらをそれぞれ発明の要旨として上記課題解決の手段としたものである。
【発明の効果】
【００１７】
本発明は以上のとおりに構成したから、請求項１に記載の発明は、操作スイッチに代替的にケーブルに接続可能なように上記操作スイッチ側面と共通のコネクターと、ＥＥＰＲＯＭ等の記憶媒体に書換用のプログラムと、制御基板に発振信号を送出して、該制御基板を作動する発振回路を有するものとして、ＣＰＵ、即ちマイコン非搭載に構成し、該書換装置を、制御基板に対してその操作スイッチ接続用のケーブルを介して接続し、該書換装置の発振信号を制御基板が認識することによって、該制御基板における既存プログラムの書換作業を、操作スイッチ設置の建物居住空間において遠隔的に行うようにして、建材に必要とされる付随の作業や工事を行うことなく可及的簡易且つ確実になし得るようにした建材組込機器プログラムの遠隔書換方法を提供することができる。
【００１８】
請求項２、３及び４に記載の発明は、上記に加えて、上記スイッチ設置の室内における遠隔的なプログラム書換を有効且つ確実に行うについてそれぞれ好ましい形態のものとすることができる。
【００１９】
請求項５に記載の発明は、同じく上記に加えて、上記遠隔的なプログラム書換を正確に行ってその確認を得られるものとすることができる。
【００２０】
請求項６に記載の発明は、同じく上記に加えて、上記書換装置にマイコンを搭載することによって、制御基板との間で該書換装置のマイコンを用いた書換を行うものとすることができる。
【００２１】
請求項７に記載の発明は、同じく上記に加えて、建材を電動シャッターとして、特に煩雑化、高コスト化する傾向のあるプログラムの書換を可及的簡易且つ確実になし得る形態のものとすることができる。
【００２２】
請求項８に記載の発明は、上記プログラムの遠隔書換に適して、上記操作スイッチに代替的に接続することによって、操作スイッチ設置の室内居住空間における制御基板のプログラム書換を可能とし、建材に必要とされる付随の作業や工事を行うことなく可及的簡易且つ確実になし得るようにした可及的コンパクトにして使い勝手の良好な遠隔書換用装置を提供することができる。
【００２３】
請求項９に記載の発明は、上記に加えて、上記マイコンの非搭載に代えて、マイコンを搭載することによって、該マイコンによる上記制御基板の遠隔的なプログラム書換をなし得る遠隔書換用装置とすることができる。
【図面の簡単な説明】
【００２４】
【図１】電動シャッターと操作スイッチ及び書換装置の関係を示す正面図である。
【図２】電動シャッターの駆動ユニットと書換装置との関係を示す構成図である。
【図３】制御基板と書換装置の関係を示すブロック図である。
【図４】プログラム書換方法を示す作業工程図である。
【図５】操作スイッチと制御基板の関係を示す説明図である。
【図６】書換装置の接続段階を示す説明図である。
【図７】制御基板の既存プログラム転送段階を示す説明図である。
【図８】制御基板の書換エリア消去段階を示す説明図である。
【図９】制御基板のプログラム書換段階を示す説明図である。
【図１０】書換装置の書換プログラム確認段階を示す説明図である。
【図１１】天窓と操作スイッチ及び書換装置の関係を示す正面図である。
【図１２】ルーバー窓と操作スイッチ及び書換装置の関係を示す正面図である。
【図１３】オーニングと操作スイッチ及び書換装置の関係を示す正面図である。
【図１４】床下収納と操作スイッチ及び書換装置の関係を示す正面図である。
【図１５】引戸と操作スイッチ及び書換装置の関係を示す正面図である。
【図１６】ドアと操作スイッチ及び書換装置の関係を示す正面図である。
【図１７】ジェットバスと操作スイッチ及び書換装置の関係を示す正面図である。
【図１８】浴室換気乾燥機と操作スイッチ及び書換装置の関係を示す正面図である。
【発明を実施するための形態】
【００２５】
以下図面の例に従って本発明を更に具体的に説明すれば、１ａは建物開口部に既設の電動開口部材、本例にあっては、住宅のテラス窓又は肘掛窓の引き違い窓サッシの外側に設置した電動シャッターであり、該電動シャッター１ａは、その開閉対象のシャッターカーテン１５を、シャッターケース１１の収納内に軸支配置した回転軸１４に巻回設置し、モーター１２の駆動によって該回転軸１４を回転することによって、左右のガイドレール１６の案内によりその昇降開閉と上下中間の任意位置の停止を行うようにしてあり、本例にあって該シャッターカーテン１５の昇降開閉は、住宅の居住空間の、該電動シャッター１ａ設置居室における室内壁面に埋込設置した操作スイッチ（壁スイッチ）４の開、閉及び停止を表示した押しボタンスイッチを個別に押圧することによる操作信号を、上記シャッターケース１１内、特に回転軸１４に内蔵した駆動ユニット１３に配置した制御基板２に送出し、該制御基板２のＲＯＭが有する既存プログラムによってモーター１２駆動を制御して、これを行なうものとしてある。
【００２６】
即ち、電動シャッター１ａは、図１乃至図３に示すように、操作スイッチ４の操作によるシャッターカーテン１５の昇降開閉のために、シャッターケース１１の回転軸１４内長手方向モーター近傍位置に駆動ユニット１３を内蔵してあり、該駆動ユニット１３は、モーター１２駆動用の制御基板２、モーター１２の駆動に付随するクラッチ、ギヤ等の部材を一体化して、例えば、メンテナンス用に半割り状に開閉可能とした円筒形のケースに収納したものとし、これを上記回転軸１４に嵌挿状に配置することによって、そのシャッターケース１１への設置を行ってある。
【００２７】
駆動ユニット１３に一体化して配置した制御基板２は、基板上に電源回路、制御用のＣＰＵ、メモリー、入出力回路等のＩＣ回路、ケーブル３との接続用コネクターを配置することによってマイコンを搭載したものとしてあり、操作スイッチ４からの操作信号により上記モーター１２の駆動制御を行なうようにモーター１２に接続してある。
【００２８】
制御基板２のメモリーには、プログラムＲＯＭ、データＲＯＭ、ＲＡＭを搭載するとともに上記ケーブル３との接続用コネクターは８芯としてあり、該コネクターより上記ケーブル３を介して操作信号を入力し、モーター１２の制御信号を、出力用のコネクターからモーター１２に出力して、該モーター１２制御による回転軸１４の正逆回転と停止によるシャッターカーテン１５の昇降開閉と停止を行うようにしてある。
【００２９】
操作スイッチ４は、上記３つの押ボタンスイッチを収納配置して、上記室内壁面に埋込設置して、居室においてそのスイッチ操作をなし得るようにするとともに該操作スイッチ４は、その側面にケーブル３との接続用コネクターを備えてあり、該接続用コネクターは、同じく８芯としてある。該操作スイッチ４は、常法に従って、壁面に刳り貫き形成した操作スイッチ４の形状に合せた矩形孔に嵌合固定することによって、例えば、室内露出のカバーの固定ネジを外すことによって、その室内への取り出しをなし得るようにしてある。
【００３０】
制御基板２と操作スイッチ４間は、上記ケーブル３の長手方向両端に配置したコネクターに着脱自在に嵌合することによって、その接続を行って、上記操作スイッチからの操作信号を制御基板に入力するようにしてある。
【００３１】
このように構成して、操作スイッチ４の操作信号によってシャッターカーテン１５を昇降開閉するようにした上記既設の電動シャッター１ａは、その上記制御基板２のＲＯＭ既存プログラムの全部又は一部をプログラム書換え方法によって書換え可能としてあり、これによって該プログラムに不具合が存在したときや、機能付加のためのバージョンアップに対応するときに、容易且つ確実にその書換えをなし得るようにしてある。
【００３２】
プログラム書換方法は、書換装置５を用いて、該書換装置５を上記操作スイッチ４に代替して上記ケーブル３にコネクター接続することによって上記制御基板２との間で遠隔的なプログラム書換を行い、その後、書換装置５に代替して再度操作スイッチ４をコネクター接続するものとしてあり、本例にあって、該遠隔的なプログラム書換は、これを、上記書換装置５の発振回路による発振信号送出と、制御基板２のＲＯＭの既存プログラムのＲＡＭエリアへの書き込みと、ＲＯＭに対する書換装置のＥＥＰＲＯＭからの書換プログラムの書き込みとによって、制御基板２のＲＯＭ既存プログラムの全部を書換えるものとし、また、上記ＲＯＭへのＥＥＰＲＯＭの書換プログラムの書き込み後、該書き込みプログラムのチェックサム照合を単一又は複数回、本例にあっては２回行うものとしてある。
【００３３】
プログラム書換方法に用いる書換装置５は、上記制御基板２のＲＯＭ書換用の書換プログラムを記憶したＥＥＰＲＯＭと、上記ケーブルと共通のコネクターと、建材、即ち電動シャッター１ａの制御基板２に発振信号を送出する発振回路を備えることによってマイコンを非搭載としたものとしてあり、本例にあっては、図３に示すように、ＥＥＰＲＯＭ、発振回路、入出力用のインターフェース回路、電圧変換回路を備えた、ＣＰＵを搭載しないものとするとともに、更に終了確認用のＬＥＤランプ及びコネクターとして、スイッチに代替して、上記８芯のケーブルとの接続を行うように、同じく８芯の接続端子を備えたものとしてあり、このとき、該接続端子の８芯の割付は、これを、電源、書換装置接続認識信号、シリアル受信データ、シリアル送信データ、シリアルクロック、メモリーチップセレクト、ＬＥＤ、ＧＮＤ（アース）としてある。
【００３４】
書換装置を用いたプログラム書換は、図４に示すように、（１）室内壁面からの操作スイッチ４の取り出し、（２）ケーブル３接続解除、即ち、操作スイッチ４のコネクターからケーブル３のコネクターを外して、操作スイッチ４とケーブル３との接続解除、（３）書換装置５のコネクターへの接続、即ち、ケーブル３のコネクターに書換装置５のコネクターを嵌めることによる、書換装置５のケーブル３への接続、（４）終了表示確認後の書換装置５の接続解除、即ち、例えば、ＬＥＤランプの点滅から点灯の終了表示を確認して、コネクターを外して、ケーブル３からの書換装置５の接続解除、（５）操作スイッチ４のケーブル３への再接続、即ち、ケーブル３のコネクターに操作スイッチ４のコネクターを嵌めて、操作スイッチ４のケーブル３への再接続の工程を経ることによって、これを行うようにしてあり、該操作スイッチ４の再接続によって制御基板２における自動初期設定を行って、上記既設電動シャッター１ａの制御を復活させるようにしてある。
【００３５】
即ち、書換装置５を操作スイッチ４に代替的にケーブル３と接続することによって、書換装置５から、発振信号、即ち、該書換装置５の接続を制御基板２が認識する書換装置接続認識信号の送出、書換装置５から制御基板２へのシリアル受信データの送出、制御基板２から書換装置５に対するシリアルデータの受信、書換装置５からのクロック信号の送出、書換装置５からのチップセレクト信号の送出を行うことによって、制御基板２との間でそのＲＯＭの既存プログラムの書換のための通信を行うようにしてあり、また、該書換通信中は上記ＬＥＤランプを点滅点灯し、書換終了後、本例にあってはチェックサム終了後に制御基板２からの終了信号によって、該ＬＥＤランプを点灯状態とし、該書換の終了を告知するようにしてある。
【００３６】
図５に、ケーブル３に操作スイッチ４を接続した通常状態における制御基板２と操作スイッチ４の関係を示すように、操作スイッチ４の操作信号によって制御基板２のＲＯＭに記憶した既設の基本プログラムによって、そのモーター１２制御を行うものとしてあるところ、図６乃至図１０に、操作スイッチ４に代替的に書換装置５を接続した以降の制御基板２のプログラム書換の状態を示したものであり、これらに示すとおり、制御基板２と書換装置５間では、操作スイッチ４に代替して書換装置５を接続することによる制御基板２への発振信号の送出とこれによる制御基板２の発振信号認識（図６）、制御基板２による既存プログラムのＲＡＭへの転送（図７）、制御基板２による書換エリアの既存プログラム消去（図８）、書換エリアに対する書換装置５からの書換プログラムの書換（図９）、その後のチェックサム照合、本例にあっては２回のチェックサム照合による確認（図１０）を順次行うことによって、制御基板２のＲＯＭ既存プログラムを書換えるものとしてある。
【００３７】
図５乃至図１０において、基本プログラムとは書換に必要なプログラムを意味し、プログラム２とは書換用の制御プログラムをそれぞれ意味する。また、制御基板２における既存プログラムをＲＡＭエリアに転送し、その後で書き込みエリアの既存プログラムを消去するのは、プログラム書換が中断したとき、制御基板２の復帰をなし得るようにするためである。
【００３８】
以上のように電動シャッター１ａにおける制御基板２の既存プログラムを、書換装置５を用いて書換えることによって、その書換の目的に沿って、該既存プログラムの不具合を解消し、また、新規機能追加のバージョンアップを行うことができ、該書換は、その作業を、操作スイッチ４設置の建物居住空間において遠隔的に行うことができ、建材の電動シャッター１ａにおける書換に伴う、シャッターケース１１の取り外し、その駆動ユニット１３や制御基板２の取り出し、書換後の制御基板２の配置、駆動ユニット１３の定位置への復帰、シャッターケース１１の再設置等の付随作業や、２階、３階の高所設置の場合の作業足場の設置工事を必要とすることなく、可及的簡易且つ確実に行うことが可能となる。
【００３９】
図１１乃至図１８は、上記電動シャッター以外の建材に室内の操作スイッチ４と書換装置５を用いた例を示すもので、図１１は天窓１ｂに、図１２は、ルーバー窓１ｃに、図１３はオーニング１ｄに、図１４は床下収納庫１eに、図１５は引戸１ｆに、図１６はドア１ｇに、図１７はジェットバス１ｈに、図１８は浴室換気乾燥機１ｉに、それぞれ室内の操作スイッチ４と書換装置５を適用した例である。
【００４０】
図示した例は以上のとおりとしたが、上記遠隔的なプログラム書換を、上記書換装置の発振回路における発振信号送出と、制御基板のＲＯＭに対する書換装置のＥＥＰＲＯＭからの書換プログラムの書き込みとによって、制御基板のＲＯＭ既存プログラムの一部を書換えるようにすること、上記マイコンを非搭載とした書換装置に代えて、マイコンを搭載した書換装置を用いて、該マイコンによって上記制御基板との間で遠隔的なプログラム書換を行うようにすること等を含めて、本発明の実施に当って、建材、プログラムの遠隔書換方法、室内壁面設置の操作スイッチ、コネクター、ケーブル、制御基板、既存プログラム、書換装置、ＲＯＭやＲＡＭ及びＥＥＰＲＯＭ等の記憶媒体、発振回路、そのコネクター等の各具体的構造、形状、材質、方法、これらの関係、これらに対する付加等は、上記発明の要旨に反しない限り様々な形態のものとすることができる。
【符号の説明】
【００４１】
１ａ  電動シャッター
１ｂ  天窓
１ｃ  ルーバー窓
１ｄ  オーニング
１ｅ  床下収納庫
１ｆ  引戸
１ｇ  ドア
１ｈ  ジェットバス
１ｉ  浴室換気乾燥機
１１  シャッターケース
１２  モーター
１３  駆動ユニット
１４  回転軸
１５  シャッターカーテン
１６  ガイドレール
２  制御基板
３  ケーブル
４  操作スイッチ
５  書換装置
【図１】
0005629100.tif 000002
【図２】
0005629100.tif 000003
【図３】
0005629100.tif 000004
【図４】
0005629100.tif 000005
【図５】
0005629100.tif 000006
【図６】
0005629100.tif 000007
【図７】
0005629100.tif 000008
【図８】
0005629100.tif 000009
【図９】
0005629100.tif 000010
【図１０】
0005629100.tif 000011
【図１１】
0005629100.tif 000012
【図１２】
0005629100.tif 000013
【図１３】
0005629100.tif 000014
【図１４】
0005629100.tif 000015
【図１５】
0005629100.tif 000016
【図１６】
0005629100.tif 000017
【図１７】
0005629100.tif 000018
【図１８】
0005629100.tif 000019